(57)【特許請求の範囲】
【請求項１】
ファインダ保持枠に形成した、ファインダの光軸と直交する面内で平行に延びる一対のスリットと；
上記一対のスリット内に摺動自在に嵌合する一対の位置決め突起を介して、該一対のスリットと平行な面内で移動可能に支持される、視野枠を有する視野枠部材と；
を備え、組立調整時に、上記一対のスリットから挿入した調整操作具を位置決め突起に係合させて視野枠部材の位置調整を行うファインダにおいて、
上記一対の位置決め突起と一対の調整操作具に、相互に係合する凹凸形状を設けたことを特徴とするファインダの視野枠調整機構。
【請求項２】
請求項１記載のファインダの視野枠調整機構において、上記一対の位置決め突起は、視野枠部材の中心側に向けて対向間隔を狭くする一対の対向壁を有する凹溝を備え、上記一対の調整操作具は、この凹溝内の対向壁に接する一対のテーパー面を有するファインダの視野枠調整機構。
【請求項３】
請求項１記載のファインダの視野枠調整機構において、上記一対の位置決め突起は半円状凸部を有し、上記一対の調整操作具の端部は、この半円状凸部と係合する半円状凹部を有するファインダの視野枠調整機構。
【請求項４】
請求項１記載のファインダの視野枠調整機構において、上記一対の位置決め突起は、視野枠部材の中心側へ向けて間隔を広くする一対の傾斜面を有する台形凸状をなし、上記一対の調整操作具の端部はこの一対の傾斜面に係合する凹状をなすファインダの視野枠調整機構。
【請求項５】
請求項１ないし４いずれか１項記載のファインダの視野枠調整機構において、上記一対の調整操作具は、上記一対の位置決め突起と係脱する直線移動方向へ支持案内されているファインダの視野枠調整機構。
【請求項６】
請求項５記載のファインダの視野枠調整機構において、一対の調整操作具は、一対の位置決め突起に係合する方向へ均等なばね力で付勢されているファインダの視野枠調整機構。
【請求項７】
請求項１ないし６いずれか１項記載のファインダの視野枠調整機構において、上記視野枠部材は、位置決め後に当該位置で、上記一対の位置決め突起が上記ファインダ保持枠に固定されるファインダの視野枠調整機構。
【請求項８】
光学部材の支持枠に形成した、ファインダの光軸と直交する面内で平行に延びる一対のスリットと；
上記一対のスリット内に摺動自在に嵌合する一対の位置決め突起を介して、該一対のスリットと平行な面内で移動可能に支持される光学部材と；
を備え、組立調整時に、上記一対のスリットに挿入した調整操作具を位置決め突起に係合させて光学部材を移動させ、その位置を調整する光学部材の位置調整機構において、
上記一対の位置決め突起と一対の調整操作具に、相互に係合する凹凸形状を設けたことを特徴とする光学部材の位置調整機構。
【請求項９】
請求項８記載の光学部材の位置調整機構において、上記光学部材は、位置決め後に当該位置で、上記一対の位置決め突起が上記支持枠に固定される光学部材の位置調整機構。
【発明の詳細な説明】
【０００１】
【技術分野】
本発明は、ファインダの視野枠調整機構及び光学部材の位置調整機構に関する。
【０００２】
【従来技術及びその問題点】
撮像光学系とファインダ光学系が独立して設けられるコンパクトカメラやデジタルカメラでは、撮像光学系による撮影範囲、つまりフィルムやＣＣＤにおける実画面よりもファインダの観察範囲を広く取り、ファインダ光学系内に撮影範囲を表示する視野枠部材を設けていることが多い。このようなファインダ装置の一例を図１２に示した。このファインダブロック８０では、接眼レンズ８１に視野枠８２が形成されている。接眼レンズ８１は、側部に略矩形をなす一対の位置決め突起８３を備え、該一対の位置決め突起８３をファインダケース８４に形成した一対のスリット８５に嵌めることによりカメラ本体に支持される。支持状態において、スリット８５の外側からピンセットを差し入れて位置決め突起８３を挟んで保持し、位置決め突起８３をスリット８５内でスライドさせて接眼レンズ８１の位置を移動し、これにより視野枠８２を撮影範囲に合わせる調整を行う。つまり接眼レンズ８１の位置調整をする際に、位置決め突起８３を挟んで保持しつつ同時にレンズを移動させる必要があるが、狭いスリット内では位置決め突起８３を保持しにくく、接眼レンズ８１を正確に移動させることが難しい。また視野枠調整後に接眼レンズ８１をファインダケース８４に接着する段階で再びピンセットによる保持がずれやすい点も問題である。このように従来の視野枠調整は作業性が悪く、特にカメラの小型化やファインダ装置のユニット化が進む近年では、簡単かつ安価な構成で調整作業の容易な視野枠調整機構の需要が高まっている。
【０００３】
以上の問題点はファインダの視野枠位置の調整に限らず、レンズ等の光学部材の位置を調整する場合にも共通している。つまり、光学系を構成するレンズを光軸と直交する面方向に移動させる際、上記のようにピンセット等を用いて突起を挟みながらレンズ位置を調整するのでは作業性が悪い。
【０００４】
【発明の目的】
本発明は、調整作業が容易なファインダの視野枠調整機構を簡単な構成で得ることを目的とする。本発明はまた、調整作業が容易な光学部材の位置調整機構を簡単な構成で得ることを目的とする。
【０００５】
【発明の概要】
本発明によるファインダの視野枠調整機構は、ファインダ保持枠に形成した、ファインダの光軸と直交する面内で平行に延びる一対のスリットと；上記一対のスリット内に摺動自在に嵌合する一対の位置決め突起を介して、該一対のスリットと平行な面内で移動可能に支持される、視野枠を有する視野枠部材と；を備え、組立調整時に、上記一対のスリットから挿入した調整操作具を位置決め突起に係合させて視野枠部材の位置調整を行うファインダにおいて、上記一対の位置決め突起と一対の調整操作具に、相互に係合する凹凸形状を設けたことを特徴とする。この構成によれば、調整操作具の挿入方向の押し込み力によって光軸と直交する面内で視野枠部材を保持させることができ、調整作業を行い易い。
【０００６】
例えば一対の位置決め突起は、視野枠部材の中心側に向けて対向間隔を狭くする一対の対向壁を有する凹溝を備え、一対の調整操作具は、この凹溝内の対向壁に接する一対のテーパー面を有する構成が可能である。この構成は、操作具の挿入方向に対して傾斜するテーパー部分が係合するので保持性に優れる。
【０００７】
また、一対の位置決め突起がスリット側に突出する半円状凸部を有し、一対の調整操作具の端部は、この半円状凸部と係合する半円状凹部を有する構成とすると、円形部分が係合するのでがたが起こりにくい。
【０００８】
一対の位置決め突起は、視野枠部材の中心側へ向けて間隔を広くする一対の傾斜面を有する台形凸状をなし、上記一対の調整操作具の端部はこの一対の傾斜面に係合する凹状とすることも可能である。この構成は係合部分の形状が簡単であり、低コストで加工できる。
【０００９】
以上において、一対の調整操作具は、上記一対の位置決め突起と係脱する直線移動方向へ支持案内されることが好ましい。さらに一対の調整操作具は、一対の位置決め突起に係合する方向へ均等なばね力で付勢されることが好ましい。これにより、手を離した状態で視野枠部材を一定位置に保持できるので、調整操作が容易になる。
【００１０】
本発明はまた光学部材の位置調整機構に関しており、光学部材の支持枠に形成した、ファインダの光軸と直交する面内で平行に延びる一対のスリットと；上記一対のスリット内に摺動自在に嵌合する一対の位置決め突起を介して、該一対のスリットと平行な面内で移動可能に支持される光学部材と；を備え、組立調整時に、上記一対のスリットに挿入した調整操作具を位置決め突起に係合させて光学部材を移動させ、その位置を調整する光学部材の位置調整機構において、上記一対の位置決め突起と一対の調整操作具に、相互に係合する凹凸形状を設けたことを特徴とする。
【００１１】
以上のファインダの視野枠調整機構及び光学部材の位置調整機構では、視野枠部材または光学部材は、位置決め後に、上記一対の位置決め突起を枠部材に固定することで、当該調整済位置に保持させることができる。
【００１２】
【発明の実施の形態】
図１から図３に示すファインダブロック１０は、デジタルカメラ用の直視式ファインダーであって、上部が開いた断面コ字状のファインダレンズ保持枠１１と、このファインダレンズ保持枠１１の上部を覆う上蓋１２とを有している。ファインダレンズ保持枠１１において、対向壁部１３ａ、１３ｂに挟まれる内部は、ファインダ光学系を組み込むレンズ収納空間１４となっている。対向壁部１３ａ、１３ｂの上端面からは、固定ピン１５がそれぞれ２つずつ（計４つ）突出されており、また各対向壁部１３ａ、１３ｂの上端面に臨んで取り付け溝１６が２つずつ（計４つ）形成されている。対向壁部１３ａ、１３ｂの内側には、対物側からそれぞれ対をなす第１レンズ保持溝１７と第２レンズ保持溝１８が形成され、さらに接眼側には対向壁部１３ａ、１３ｂを切り欠いて一対のスリット１９が形成されている。
【００１３】
上蓋１２には、ファインダレンズ保持枠１１の固定ピン１５に対応する４つの固定孔２１と、取り付け溝１６に対応する４つの取り付け腕部２２が設けられる。固定孔２１を固定ピン１５に、取り付け腕部２２を取り付け溝１６にそれぞれ係合させることによって、ファインダレンズ保持枠１１と上蓋１２は対物側と接眼側に開口を有する箱状体となる。なお、図２では取り付け腕部２２は手前側の２つのみが図示されている。
【００１４】
このファインダレンズ保持枠１１と上蓋１２に保持されるファインダ光学系は、対物側より第１レンズ２３、第２レンズ２４及び接眼レンズ２５の順に構成される。第１レンズ２３は、その両側面に対をなす側方突起２６を有しており、上部と下部に上側支持突起２８ａと下側支持突起２８ｂがそれぞれ突設されている。第２レンズ２４は、両側面に一対の側方突起２７が突設され、上部と下部に上側支持突起２９ａと下側支持突起２９ｂが突設されている。なお、図では第１レンズ２３の側方突起２６は手前側の一方のみが示されている。
【００１５】
接眼レンズ２５（視野枠部材）は、前面に視野枠３０が蒸着されている。この視野枠３０は、ファインダ光学系内で上記スリット１９の位置に接眼レンズ２５を置いたときに撮影画面に対応するサイズに設定されている。本実施形態のファインダは、前方の第１レンズ２３（凹レンズ）の第２面をハーフミラーとし、その反射光で接眼レンズ２５（凸レンズ）に設けた視野枠３０が浮かびあがって見える反射光像式のファインダとなっている。
【００１６】
接眼レンズ２５本体部の横幅Ｗ１は、スリット１９付近の対向壁部１３ａ、１３ｂの内側間隔Ｗ２よりも若干狭くなっている（図１、図３参照）。この接眼レンズ２５の両側部には一対の位置決め突起３３が突設されている。位置決め突起３３の光軸方向の厚みは、ファインダレンズ保持枠１１に形成したスリット１９内でスライド可能に形成されている。一方、位置決め突起３３の側方への突出量は、接眼レンズ２５が上記横幅方向へ対向壁部１３ａ、１３間を移動したときにスリット１９より外方に露出されない程度となっている。この位置決め突起３３は、スリット１９に臨む端面側から接眼レンズ２５の中心方向へ切り欠かれた係合用凹溝３３ａを備えている。各係合用凹溝３３ａは、凹溝の開口端面から底部方向へ対向間隔を狭くする傾斜が与えられた一対の対向壁３３ｂと、この対向壁３３ｂの間の底面３３ｃを有する（図９）。また、接眼レンズ２５の上部と下部には上側支持突起３１と下側支持突起３２が形成されている。
以上の各レンズにおいて、突起部分はレンズの製造過程において一体に形成されている。
【００１７】
ファインダブロック１０は以下のように組み立てられる。まずファインダレンズ保持枠１１の上側（開口端面側）から第１レンズ保持溝１７に側方突起２６を嵌入させて、第１レンズ２３をレンズ収納空間１４内に装着する。このとき下側支持突起２８ｂが、レンズ収納空間１４底部に形成した支持孔１４ａに係合する。同様に第２レンズ保持溝１８に側方突起２７を嵌入させて第２レンズ２４をレンズ収納空間１４に装着する。このときレンズ収納空間１４底部に形成した図示しない支持孔に下側支持突起２９ｂが係合される。第１レンズ２３と第２レンズ２４の幅は、それぞれ装着箇所における対向壁部１３ａ、１３ｂの内側間隔に略等しくなっており、レンズ保持溝１７、１８に側方突起２６、２７を嵌め込んだ時点でがたなく装着される。該装着後、第１レンズ２３と第２レンズ２４は、接着剤でファインダレンズ保持枠１１に固定される。
【００１８】
接眼レンズ２５は、一対の位置決め突起３３をファインダレンズ保持枠１１の上側（開口側）から一対のスリット１９に嵌入させる。ファインダレンズ保持枠１１は下側支持突起３２を受ける支持孔（不図示）を有し、これとスリット１９に嵌入される一対の位置決め突起３３とによって、接眼レンズ２５が支持される。このとき、前述したように位置決め突起３３はスリット１９から突出しない。
【００１９】
最後に、固定孔２１を固定ピン１５に、取り付け腕部２２を取り付け溝１６にそれぞれ係合させて上蓋１２をファインダレンズ保持枠１１に取り付ける。このとき第１レンズ２３の上側支持突起２８ａが、上蓋１２の係合孔１２ａに係合する。同様に第２レンズ２４の上側支持突起２９ａと接眼レンズ２５の上側支持突起３１は、それぞれ上蓋１２に形成した図示しない係合孔に係合する。
【００２０】
各レンズの光軸方向の位置は、ファインダレンズ保持枠１１側の保持溝１７、１８及びスリット１９によって予め所定間隔に決定されている。また、第１レンズ２３と第２レンズ２４は、光軸と直交する面内での位置も固定される。一方、接眼レンズ２５の横Ｗ１幅は対向壁部１３ａ、１３ｂの間隔Ｗ２より小さいので、対向壁部１３ａ、１３ｂの間（横方向）で若干量移動可能である。また接眼レンズ２５の高さは、ファインダレンズ保持枠１１と上蓋１２に囲まれる枠状部内で縦方向に若干量移動可能とされ、支持突起３１、３２は上蓋１２とファインダレンズ保持枠１１に形成された不図示の支持孔に対して遊嵌状態にある。従って接眼レンズ２５は、位置決め突起３３をスリット１９内でスライドさせることで、光軸と直交する面方向に移動可能となっている。
【００２１】
図４及び図５に示すように、組立状態のファインダブロック１０は、撮像レンズ支持体３５に取り付けられる。撮像レンズ支持体３５は、撮像光学系３６を備えており、ファインダブロック１０が固定されてカメラの光学ユニット４０となる。光学ユニット４０では、ファインダ光学系の光軸と撮像光学系３６の光軸は平行をなしている。
【００２２】
ファインダの視野枠調整作業は、この光学ユニット４０を、図６から図８に示す調整装置４１に取り付けて行う。撮像レンズ支持体３５は側面に保持孔３７、３８を有している。調整装置４１には、この保持孔３７に嵌合するピンを有するクランプ部４１ａと、保持孔３８に嵌合するピンを有するクランプ部４１ｂを備えている。撮像レンズ支持体３５の保持孔３７、３８に各クランプ部４１ａ、４１ｂのピンを挿通してクランプねじを締め付けることで、調整装置４１に対して光学ユニット４０を固定することができる。
【００２３】
この光学ユニット４０の支持位置の上方には、調整装置４１本体に対して図７のｘ及びｙ方向へ移動可能な２方向可動ユニット４２が支持されている。この２方向可動ユニット４２を構成する第１移動支持部材４６（図６から図８に右下がりのハッチングで示す部材）の固定具４６ａにｘ軸調整用ねじ４３が固定されている。第１移動支持部材４６は、第２移動支持部材４７（図６から図８に右上がりのハッチングで示す部材）に対してｘ方向へ移動可能に支持されている。第２移動支持部材４７の固定具４７ａにはｙ軸調整用ねじ４４が固定されており、第２移動支持部材４７は、調整装置４１本体部分に対してｙ方向へ移動可能に支持されている。ｘ軸調整用ねじ４３及びｙ軸調整用ねじ４４はマイクロメーター用の押し引きねじであり、回転させると進退軸４３ａ、４４ａが進退する。進退軸４３ａと進退軸４４ａの端部はそれぞれ支持具４８、４９に固定される。従って、ｙ軸調整用ねじ４４を正逆回転すると第２移動支持部材４７がｙ方向へ移動され、ｘ軸調整用ねじ４３を正逆回転すると、この第２移動支持部材４７に支持される第１移動支持部材４６がｘ方向へ移動される。
【００２４】
第１移動支持部材４６には貫通孔４６ｂ（図８）が穿設され、その側部には対をなすシャフト案内板４５が固定されている。貫通孔４６ｂに対して図６及び図７の上下方向にスライド可能にシャフト５０が支持され、このシャフト５０の上端のカム受け板５０ａが、対をなす上記シャフト案内板４５の間に案内されている。カム受け板５０ａと第１移動支持部材４６の間に圧縮ばね５２が配される。圧縮ばね５２が自由状態にあるときのカム受け板５０ａの位置は図７に示すよりも上方にある。シャフト案内板４５には下降操作カム部材５１が軸５１ａで軸支されていて、図７に２点鎖線で示す位置から実線で示す位置へ下降操作カム部材５１を回転させると、下降操作カム部材５１の下端部がカム受け板５０ａに当接し、圧縮ばね５２を圧縮させながらシャフト５０が下方へスライドされる。
【００２５】
シャフト５０の下端には、操作具支持枠５３が支持されている。図７に示すように、操作具支持枠５３は下方に凹状空間５３ａを向けたコ字形の断面形状をなしており、該凹状空間５３ａを挟んで対向する一対の支持腕部５３ｂ内には、シャフト５０のスライド方向に対して軸線が直交する貫通孔５４ａを備えた、一対のガイド部材５４が固定されている。この一対の貫通孔５４ａの軸線は一直線上にあり、その内部に一対のスライド体５５が摺動可能に支持されている。各スライド体５５は、上記の支持腕部５３ｂより外方に突出する側の端部に把持つまみ５６が固設されている。一方、凹状空間５３ａに臨む側の各スライド体５５の端部には、調整操作具５７が設けられている。一対の調整操作具５７は、正面から見て先細のテーパー形状をなす板状部材で、先端部は角のない先端円形部５７ａとなっており、この先端円形部５７ａを凹状空間５３ａに向けている。また図９に示すように、調整操作具５７の厚さは接眼レンズ２５の位置決め突起３３の厚みより薄く、ファインダレンズ保持枠１１のスリット１９に挿入可能となっている。
【００２６】
ガイド部材５４内部には、調整操作具５７が凹状空間５３ａに突出する方向へスライド体５５を付勢する圧縮ばね５８が配されている。一対の圧縮ばね５８は均等なばね力を有し、その自由状態で一対のスライド体５５は、対をなす調整操作具５７が凹状空間５３ａ内に同量突出される位置に保持される（図７）。該位置より、把持つまみ５６を同図の矢印Ａ方向へ一定量へ引っ張って若干回転させると、公知のストッパ機構によって調整操作具５７がガイド部材５４の貫通孔内に収納される位置にスライド体５５が係止される。この係止は把持つまみ５６を若干回転させると解除され、圧縮ばね５８の付勢力で調整操作具５７が凹状空間５３ａ内に突出される。
【００２７】
調整装置４１はさらに、ファインダ観察用のテレビカメラ５９を備えている。テレビカメラ５９は、調整装置４１に光学ユニット４０を固定した状態でファインダ光学系の光軸延長上に結像レンズ及び撮像素子が位置するように固定されている。つまりテレビカメラ５９はファインダの像を観察する状態にあり、その画像が不図示のモニターに映し出される。一方、撮像光学系３６の画像も別のモニターに映される。テレビカメラ５９の結像レンズは、そのモニター画像が撮像光学系のモニター画像と略一致する倍率となっている。
【００２８】
視野枠の調整は、以上の調整装置４１を用いて次のように行われる。まず光学ユニット４０を固定する前に、下降操作カム部材５１を図７の２点鎖線の位置に倒して操作具支持枠５３を上昇させておく。さらに把持つまみ５６をＡ方向（図７）に引っ張ってストッパを掛け、一対の調整操作具５７がガイド部材５４内に収納された状態で係止させる。該状態において、光学ユニット４０を調整装置４１に固定する。続いて、下降操作カム部材５１を図７の実線位置へ回動させて操作具支持枠５３を押し下げる。操作具支持枠５３は、押し下げられたときに凹状空間５３ａが所定の間隔をもってファインダブロック１０を取り囲む位置となる（図７参照）。このときファインダ光学系の光軸と直交する面内において、接眼レンズ２５に設けた一対の位置決め突起３３の係合用凹溝３３ａに、一対の調整操作具５７の端部が対向する位置関係となる。また図６に示すようにファインダ光学系の光軸方向では、スライド体５５（調整操作具５７）がファインダレンズ保持枠１１のスリット１９に対応する位置にある。
【００２９】
ここで、把持つまみ５６を回転させて係止を外すと、圧縮ばね５８の復元力でスライド体５５が移動され、調整操作具５７が凹状空間５３ａ内に進出する。一対の調整操作具５７はスリット１９に対応する位置にあり、かつスリット１９よりの幅より薄いので、その端部がスリット１９内に進入して一対の位置決め突起３３の係合用凹溝３３ａに係合する。具体的には、調整操作具５７の先端付近のテーパー面が、傾斜された対向壁３３ｂに沿って当接し、かつ先端円形部５７ａの頂点が底面３３ｃに接触する。一対の調整操作具５７は、圧縮ばね５８の力で両側から位置決め突起３３を抑えるため、これに挟まれた接眼レンズ２５は、スライド体５５の進退方向において一定位置に保持される。同時に調整操作具５７が係合用凹溝３３ａに嵌まっているために、スライド体５５の進退と直交する方向においても接眼レンズ２５が一定の位置に保持される。
【００３０】
この状態で、テレビカメラ５９によるファインダ光学系のモニター画像と、撮像光学系３６のモニター画像を比較し、接眼レンズ２５の視野枠３０が撮像光学系３６の撮像範囲に一致するかチェックする。前述の通り、接眼レンズ２５は調整操作具５７によって一定の位置に保持されているが、位置決め突起３３はスリット１９に固定されていないので、ファインダブロック１０内で光軸と直交する面内で一定の移動が可能である。例えば視野枠３０が所定位置より下側にずれている場合、２方向可動ユニット４２（第２移動支持部材４７）を上昇させる方向にｙ軸調整用ねじ４４を回転させる。すると、光学ユニット４０は調整装置４１に固定されているのに対して２方向可動ユニット４２に支持される接眼レンズ２５は移動可能であるから、位置決め突起３３に係合する調整操作具５７を介して、接眼レンズ２５がファインダレンズ保持枠１１に対して上方に相対移動される。これにより、視野枠３０の縦方向の調整が行われる。ｙ軸調整用ねじ４４の回転操作は、視野枠３０が撮像光学系３６の撮影範囲の上下幅に一致するまで行う。
【００３１】
同様に、視野枠３０が撮影画面の左または右側にずれている場合には、ｘ軸調整用ねじ４３を所望の方向に回転させる。すると第１移動支持部材４６が図７のｘ方向へ移動され、調整操作具５７を介して、接眼レンズ２５がファインダレンズ保持枠１１の対向壁部１３ａ、１３ｂの間でその横幅方向に移動される。２つのモニター画面を比較し、視野枠３０が撮像光学系３６の撮影範囲の左右幅に一致するまでｘ軸調整用ねじ４３を回転操作して視野枠３０の横方向位置が調整される。視野枠３０が縦及び横方向にずれている場合は、ｘ軸調整用ねじ４３とｙ軸調整用ねじ４４の回転操作を組み合わせて位置調整を行う。
【００３２】
視野枠３０の位置調整が終わると、接着剤を用いて接眼レンズ２５をファインダレンズ保持枠１１及び上蓋１２に固定する。ピンセット等で挟んで保持していると、この固定時に再び接眼レンズ２５の位置がずれてしまうおそれがある。一方、調整操作具５７を位置決め突起３３に係合させた本形態では、一対の調整操作具５７の進出方向へ力を付与していれば、光軸直交面内で接眼レンズ２５を保持させることができるので、位置ずれしにくく簡単に接着作業を行うことができる。接眼レンズ２５の固定は、接着剤に換えて融着等の手段を用いてもよい。
【００３３】
以上から、接眼レンズ２５の位置決め突起３３に係合用凹溝３３ａを設け、これに調整操作具５７を係合させるシンプルな構造によって、調整作業時の接眼レンズ２５の保持性が向上する。つまり前述したように、一対の調整操作具５７を押し込む方向への力で接眼レンズ２５が保持されるので保持し易く、調整作業中及び位置調整後での接眼レンズ２５の位置ずれを防止できる。また、調整操作具５７を挿入方向へテーパーさせ、かつその先端を半円状にして係合用凹溝３３ａの角部分との接触を避けたため、係合時のがたつきの発生が抑えられて良好な保持性を発揮できる。そのため調整操作に対する反応（接眼レンズ２５の移動）が確実で作業性が向上する。従って従来より位置調整が容易となる。この作用は調整操作具５７を手で把持して作業を行う場合でも同様に得ることができる。
【００３４】
また上記の調整装置４１を用いると、一対の調整操作具５７は進退方向に案内支持されており、その進出方向へ一対の圧縮ばね５８の力が両側から均等に作用するため、接眼レンズ２５が常時一定の位置に保持される。そのためファインダブロック１０及び調整操作具５７を手で保持せずにセッティングできる。調整はｘ軸調整用ねじ４３とｙ軸調整用ねじ４４の回転操作で行うので、より容易に視野枠の微調整ができる。特に、両側からばね力で接眼レンズ２５を保持すると、接眼レンズ２５の成形時に位置決め突起３３の光軸方向の厚みを従来ほど厳密に設定せずとも、調整に際して接眼レンズ２５がスリット１９内で不安定になることがないので、レンズを安価に製作できる。
【００３５】
図１０は、接眼レンズと調整操作具の異なる実施形態を示している。前面に視野枠６６が蒸着された接眼レンズ６５は、側方に一対の位置決め突起６７が設けられている。位置決め突起６７は半円状凸部６７ａを有し、調整操作具６８の端部には、この半円状凸部６７ａに係合する半円状凹部６９が形成されている。接眼レンズ６５は上記接眼レンズ２５と同サイズであり、ファインダレンズ保持枠１１に支持される状態において位置決め突起６７はスリット１９から外方へ突出しない。調整操作具６８はこのスリット１９に挿入可能な厚みとなっている。視野枠の位置調整は上記と同様に行い、一対の調整操作具６８をスリット１９内に差し入れると半円状凹部６９が半円状凸部６７ａに係合し、該係合状態で接眼レンズ６５を移動させる。半円状凸部６７ａと半円状凹部６９が係合するから、この形態においても調整操作具６８の挿入方向の力で両側から接眼レンズ６５を保持でき、調整作業が容易になる。また半円状凸部６７ａと半円状凹部６９の係合形状によってがたつきが生じにくくなっている。一対の調整操作具６８は、手で把持しても上記の調整装置４１に取り付けてもよい。
【００３６】
図１１は、さらに異なる実施形態を示す。視野枠７１を有する接眼レンズ７０は、側方へ一対の位置決め突起７２を突出させている。位置決め突起７２は正面から見て、接眼レンズ７０中心側の基端面７２ａよりも、スリットに臨む側の端面７２ｂを上下方向に短くした台形状に形成されている。一対の調整操作具７３の端部には、位置決め突起７２に係合する台形状に切り欠かれた係合凹部７４が形成されている。位置決め突起７２は、調整操作具７３の挿入方向に対する一対の傾斜面７２ｃを有するため、位置決め突起７２が係合すると、接眼レンズ７０を光軸と直交する面内で安定させることができる。位置決め突起７２の形状は、矩形状の突起の上下端を欠いた簡単なものなので、製造加工が容易で低コストに供給できる。なお係合凹部７４を、端面７２ｂと傾斜面７２ｃの間の角部に沿う形状にすると係合時のがたが出やすいので、図に示すように位置決め突起７２の突出高さＨ１より、係合凹部７４の切れ込み深さＤ１の値を大きくして、双方の傾斜面のみを係合させることが好ましい。
【００３７】
以上の各実施形態は、ファインダの視野枠位置を調整するものである。従って視野枠を備える部材はレンズでなく、光を集光または発散させない平板状のガラスやプラスチックであってもよい。
【００３８】
逆に、本発明は視野枠を有さないレンズ等の光学部材を移動させて行う光学系の光軸調整にも有効である。つまり上記形態において接眼レンズ２５は、視野枠３０を調整させるために光軸と直交する面内で移動されているが、このとき光軸も移動される。例えば、接眼レンズ２５とは別の比較的感度の高い所望のレンズに位置決め突起３３と同様の凹溝を有する一対の側方突起を設け、この一対の側方突起をファインダ光学系の支持枠に設けたスリット内に摺動自在に嵌める。そして、外方からスリット内へ上記凹部に係合する形状を備えた調整操作具を挿入し、両者の係合状態でレンズを光軸と直交する面内で移動させる。レンズが移動されると接眼側の像位置が平面的に移動されるので、これを所望の方向へ動かしてファインダ光学系の光軸調整を行う。このレンズ位置調整機構はファインダ光学系に限らず、上記撮像光学系３６等など別種の光学装置の光学部材にも適用が可能である。光軸調整とファインダ視野枠調整は、光学部材（レンズあるいは視野枠部材）を光軸と直交する平面内で動かす点で共通しているから、いずれも本発明によって保持性が向上し、位置調整作業が容易となる。
【００３９】
【発明の効果】
以上のように、レンズまたは視野枠部材に設けた一対の位置決め突起と一対の調整操作具の端部とを、操作具の挿入によって相互に係合する凹凸形状とした本発明のファインダ視野枠調整機構及び光学部材の位置調整機構によれば、ファインダの視野枠調整や光学部材の位置調整を簡単な構成で容易に行うことができる。
【図面の簡単な説明】
【図１】本発明による視野枠調整機構を適用したファインダブロックの分解斜視図である。
【図２】レンズを組み込んだ状態のファインダブロックの斜視図である。
【図３】図２の平面図である。
【図４】ファインダブロックを含むカメラの光学ユニットの左側面図である。
【図５】図４の矢印V 側から見た光学ユニットの背面図である。
【図６】調整装置の左側面図である。
【図７】図６の矢印VII 側から見た調整装置の背面図である。
【図８】図６の矢印VIII側から見た調整装置の平面図である。
【図９】視野枠部材の位置決め突起と調整操作具を拡大して示す斜視図である。
【図１０】図９とは異なる実施形態の、視野枠部材の位置決め突起と調整操作具を拡大して示す斜視図である。
【図１１】本発明のさらに別の実施形態の、視野枠部材の位置決め突起と調整操作具を拡大して示す正面図である。
【図１２】従来の視野枠調整機構を有するファインダの一例を示す斜視図である。
【符号の説明】
１０  ファインダブロック
１１  ファインダレンズ保持枠
１９  スリット
２３  第１レンズ
２４  第２レンズ
２５  ６５  ７０  接眼レンズ（視野枠部材）
３０  ６６  ７１  視野枠
３３  ６７  ７２  位置決め突起
３３ａ  係合用凹溝
３５  撮像レンズ支持体
３６  撮像光学系
４０  光学ユニット
４１  調整装置
４２  ２方向移動ユニット
４３  ｘ軸調整用ねじ
４４  ｙ軸調整用ねじ
５３  操作具支持枠
５３ａ  凹状空間
５５  スライド体
５７  ６８  ７３  調整操作具
５７ａ  先端円形部
５８  圧縮ばね
【図１】
0003728054.tif 000002
【図２】
0003728054.tif 000003
【図３】
0003728054.tif 000004
【図４】
0003728054.tif 000005
【図５】
0003728054.tif 000006
【図６】
0003728054.tif 000007
【図７】
0003728054.tif 000008
【図８】
0003728054.tif 000009
【図９】
0003728054.tif 000010
【図１０】
0003728054.tif 000011
【図１１】
0003728054.tif 000012
【図１２】
0003728054.tif 000013